【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
交換機と端末とが接続され、時分割多元接続（ＴＤＭＡ）方式の通信スロットを用いて前記端末と通信を行なう基地局において、
前記交換機から受信した通信チャネル信号を複数の通信チャネル信号に分割する手段と、
前記分割された複数の通信チャネル信号の各々を、１周期内の通信スロットのうち、前記分割数に応じた複数個の通信スロットを用いて前記端末に送信するよう制御する手段と、
を備えることを特徴とする基地局。
【請求項２】
交換機と端末とが接続され、時分割多元接続（ＴＤＭＡ）方式の通信スロットを用いて前記端末と通信を行う基地局において、
前記交換機から受信した通信チャネル信号を第１の通信チャネル信号と第２の通信チャネル信号とに分割する手段と、
前記第１の通信チャネル信号および前記第２の通信チャネル信号の各々を、１周期内の通信スロットのうち、第１のタイムスロットと第２のタイムスロットとを用いて前記端末に送信するよう制御する手段と、
を備えることを特徴とする基地局。
【請求項３】
交換機と端末とが接続され、時分割多元接続（ＴＤＭＡ）方式の通信スロットを用いて前記端末と通信を行う基地局において、
前記端末から前記通信スロットを受信すると、１周期内の通信スロットのうち、複数個の通信スロットに割当てられている複数の通信チャネル信号を、所定のタイミングで抽出する手段と、
抽出された前記複数の通信チャネル信号を合成して前記交換機に出力する手段と、
を備えることを特徴とする基地局。
【請求項４】
交換機と端末とが接続され、時分割多元接続（ＴＤＭＡ）方式の通信スロットを用いて前記端末と通信を行う基地局において、
前記端末から通信スロットを受信すると、１周期内の通信スロットのうち、第１の通信スロットに割当てられている第１の通信チャネル信号と第２の通信スロットに割当てられている第２の通信チャネル信号とを、所定のタイミングで抽出する手段と、
抽出された前記第１の通信チャネル信号と第２の通信チャネル信号とを合成して前記交換機に出カする手段と、
を備えることを特徴とする基地局。
【請求項５】
基地局と時分割多元接続（ＴＤＭＡ）方式の通信スロットを用いて通信を行う端末において、
前記基地局に送信すべき通信チャネル信号を、複数の通信チャネル信号に分割する手段と、
前記分割された複数の通信チャネル信号の各々を、１周期内の通信スロットのうち、前記分割数に応じた複数個の通信スロットを用いて前記基地局に送信するよう制御する手段と、
を備えることを特徴とする端末。
【請求項６】
基地局と時分割多元接続（ＴＤＭＡ）方式の通信スロットを用いて通信を行う端末において、
前記基地局に送信すべき通信チャネル信号を、第１の通信チャネル信号と第２の通信チャネル信号とに分割する手段と、
前記第１の通信チャネル信号および前記第２の通信チャネル信号の各々を、１周期内の前記通信スロットのうち、第１のタイムスロットと第２のタイムスロットとを用いて前記基地局に送信するよう制御する手段と、
を備えることを特徴とする端末。
【請求項７】
基地局と時分割多元接続（ＴＤＭＡ）方式の通信スロットを用いて通信を行う端末において、
前記基地局から前記通信スロットを受信すると、１周期内の通信スロットのうち、複数個の通信スロットに割当てられている複数の通信チャネル信号を、所定のタイミングで抽出する手段と、
抽出された前記複数の通信チャネル信号を合成する手段と、
を備えることを特徴とする端末。
【請求項８】
基地局と時分割多元接続（ＴＤＭＡ）方式の通信スロットを用いて通信を行う端末において、
前記基地局から前記通信スロットを受信すると、１周期内の通信スロットのうち、第１の通信スロットに割当てられている第１の通信チャネル信号と第２の通信スロットに割当てられている第２の通信チャネル信号とを、所定のタイミングで抽出する手段と、
抽出された前記第１の通信チャネル信号と第２の通信チャネル信号とを合成する手段と、
を備えることを特徴とする端末。
【手続補正２】
【補正対象書類名】明細書
【補正対象項目名】０００９
【補正方法】変更
【補正の内容】
【０００９】
【課題を解決するための手段】
上記課題を解決するために、本発明のシステムは、持続時間Ｔ秒の通信スロットの信号が１周期当たりｄ個通信され、各周期で同一位相となる通信スロットの信号の通信により伝送速度がＲ／ｎビット毎秒の無線通信チャネルが実現されるＴＤＭＡ方式の無線通信を行い、Ｒビット毎秒の伝送速度で連続的に入力されるデータをｎ個（ｎは、２≦ｎ≦ｄを満たす整数）の前記無線通信チャネルにより送信する送信部と、前記ｎ個の無線通信チャネルより受信した信号から、前記送信部に入力されたデータを再生し、再生したデータをＲビット毎秒の伝送速度で連続的に出力する受信部とを少なくとも１対有するデジタル無線通信システムであって、前記送信部は、前記入力されたデータをｋビットのブロック（ｋは、Ｒ×Ｔの約数であり、かつ、ｎの倍数）に分割し、分割したブロックを（ｋ／ｎ）ビットのｎ個の分割ブロックに並列化し、並列化した各ｎ個の分割ブロック群が時間方向に連結された、前記ｎ個の無線通信チャネルに１対１に対応するｎ個のデータ列を生成するデータ分割手段と、生成された前記ｎ個のデータ列の各々が、当該データ列を送る通信スロットの位相差と同じ位相差をもって送られるように、前記ｎ個のデータ列の各々を分割し、分割したデータ列を前記対応する通信スロットにより送信するチャネル多重手段とを有し、前記受信部は、前記ｎ個の通信スロットにより前記ｎ個のデータ列を受信し、前記通信スロット間の位相差と同じ位相差をもって、前記ｎ個のデータ列を並行して再生するチャネル分離手段と、再生されたｎ個のデータ列の各々を、（ｋ／ｎ）ビットの分割ブロックに分割し、並行して得られたｎ個の分割ブロックを直列化することで前記ｋビットのブロックを再生し、再生したブロックより、前記送信部に入力されたデータを再生するデータ合成手段とを有することを特徴とする。


【手続補正３】
【補正対象書類名】明細書
【補正対象項目名】００３２
【補正方法】変更
【補正の内容】
【００３２】
図６の（ａ）に、送信系５１０の通信チャネル分離回路５２０の構成を示し、図６の（ｂ）に、受信系５５０の通信チャネル合成回路５６０の構成を示す。受信系５５０の信号変換部５５３から出力された２つの通信チャネル信号Ａ’，Ｂ’は、３２［ｋｂ／ｓ］の伝送速度で通信チャネル合成回路５６０に入力される。通信チャネル合成回路５６０で、通信チャネル信号Ａ’は、Ｓ／Ｐ変換器６０１で４ビットの分割ブロックに変換され、遅延回路６０２でクロックＣＬＫの２．５クロック時間遅延された後、Ｐ／Ｓ変換器６０３に入力される。通信チャネル信号Ｂ’は、Ｓ／Ｐ変換器６０１で同様に変換された後、ラッチ回路群６０４にそれぞれ０〜１０クロック時間の位相差で取り込まれ、その内の１つがセレクタ６０５で選択されＰ／Ｓ変換器６０３に入力される。Ｐ／Ｓ変換器６０３は、位相調整された通信チャネル信号Ａ’，Ｂ’の分割ブロックをそれぞれ上位４ビット、下位４ビットとして再合成することで、６４［ｋｂ／ｓ］の通信チャネル信号Ｒを生成して、有線網Ｉ／Ｆ部２１１に出力する。タイミング生成部６０７とセレクト信号生成部６０６は、信号変換部５５３からのタイミング信号Ｃ１，Ｃ２に応じてセレクタ６０５の切替制御を行い、通信チャネル信号Ａ’，Ｂ’の位相差が、送信側の装置における分割時の位相差（２０ビット）と一致するようにする。一方、送信系５１０の通信チャネル分離回路５２０では、有線網Ｉ／Ｆ部２１１で受信され、通信チャネル分離回路５２０で２つに分割された通信チャネル信号に対して位相調整を行う。通信チャネル合成回路５６０および通信チャネル分離回路５２０と同じ回路を移動端末１１３に設け、移動端末１１３にも合成・分離する通信チャネル信号の位相調整を行わせるようにしてもよい。


【手続補正４】
【補正対象書類名】明細書
【補正対象項目名】００３４
【補正方法】変更
【補正の内容】
【００３４】
第１の実施形態と同様に、情報端末１１０から移動端末１０１へ送られた６４［ｋｂ／ｓ］の送信信号Ｓ（７０１）は、２つの通信チャネル信号Ａ，Ｂ（７０２，７０３）に分割され、割り当てられた通信スロットの位相差Ｔと同じ位相差で分割、無線で送信される。これらのスロットは、基地局１０２’で受信されＴＤＭＡチャネル分離部において通信チャネル信号Ａ’，Ｂ’（７０７，７０８）に変換される。このとき、通信チャネル信号Ａ’，Ｂ’には、装置内での処理遅延や無線区間での伝送遅延により、通常よりも１分割ブロック時間分長い位相差が生じている。例えば、送信信号Ｓの６個目のブロック７１０は、送信側で同一位相の分割ブロック７１１，７１２に分割された後、受信側で１分割ブロック時間ずれた分割ブロック７１３，７１４となって通信チャネル合成回路５６０に入力される。通信チャネル合成回路５６０は、タイミング信号Ｃ１，Ｃ２に応じて、通信チャネル信号Ｂ’の位相を調整することで、通信チャネル信号Ａ’，Ｂ’間の位相を一致させ、両者を合成する。これにより、分割ブロック７１３，７１４は同一の位相となり、その結果、正常な通信チャネル信号Ｒ（７０９）が合成される。


【手続補正５】
【補正対象書類名】図面
【補正対象項目名】図５
【補正方法】変更
【補正の内容】
【図５】
1998022958.tif 000001